(57)【特許請求の範囲】
【請求項１】
調理器具用蓋であって、
加熱調理器具の開口部の上端外周に沿うように配置され前記開口部を塞ぐ蓋本体と、
前記蓋本体に設けられている取付穴に前記加熱調理器具に対向する側から挿入される雄ネジ部及び前記雄ネジ部に繋がるネジ頭部が設けられている取付ネジと、
前記雄ネジ部が螺合される雌ネジ部が設けられた金属製の締結部及び前記締結部に繋がる把持部が設けられている取手と、
前記雄ネジ部が貫通し、前記ネジ頭部と前記蓋本体との間に配置され、圧縮変形する弾性を有する内側パッキンと、
前記雄ネジ部が貫通し、前記取手と前記蓋本体との間に配置され、圧縮変形する弾性を有する外側パッキンと、を備え、
前記取付ネジは、前記雄ネジ部よりも前記ネジ頭部側に非ネジ部を備えており、
前記非ネジ部は、前記取付ネジが前記取付穴に挿入された場合に前記取付穴に対応する位置から前記ネジ頭部に至る位置まで設けられ、
前記非ネジ部の外径は前記雄ネジ部の外径以上となるように構成されている。
【請求項２】
調理器具用蓋であって、
加熱調理器具の開口部の上端外周に沿うように配置され前記開口部を塞ぐ蓋本体と、
前記蓋本体に設けられている取付穴に前記加熱調理器具に対向する側から挿入される雄ネジ部及び前記雄ネジ部に繋がるネジ頭部が設けられている取付ネジと、
前記雄ネジ部が螺合される雌ネジ部が設けられた金属製の締結部及び前記締結部に繋がる把持部が設けられている取手と、
前記雄ネジ部が貫通し、前記ネジ頭部と前記蓋本体との間に配置され、圧縮変形する弾性を有する内側パッキンと、
前記雄ネジ部が貫通し、前記取手と前記蓋本体との間に配置され、圧縮変形する弾性を有する外側パッキンと、を備え、
前記締結部に凹部が設けられると共に、前記凹部の底面に繋がるように前記雌ネジ部が設けられ、
前記外側パッキンが前記凹部内に収められ、前記蓋本体と前記底面との間において保持され、
前記凹部の外周壁が前記蓋本体に当接している。
【請求項３】
請求項１又は２に記載の調理器具用蓋であって、
前記雄ネジ部が貫通し、前記ネジ頭部と前記内側パッキンとの間に配置されるワッシャーを備えている。
【請求項４】
請求項１に記載の調理器具用蓋であって、
前記締結部に凹部が設けられると共に、前記凹部の底面に繋がるように前記雌ネジ部が設けられ、
前記外側パッキンが前記凹部内に収められ、前記蓋本体と前記底面との間において保持され、
前記凹部の外周壁が前記蓋本体に当接している。
【発明の詳細な説明】
【技術分野】
【０００１】
本開示は、調理器具用蓋に関する。
【背景技術】
【０００２】
鍋やフライパンといった調理器具に用いられる調理器具用蓋には、取手が取り付けられている。取手は樹脂製の場合が多く、蓋本体に対してネジ止めされている場合が多い（下記特許文献１参照）。
【先行技術文献】
【特許文献】
【０００３】
【特許文献１】実開平１−１７５６５０号公報
【発明の概要】
【発明が解決しようとする課題】
【０００４】
ところで、意匠上の理由により、取手を金属と非金属とを組み合わせたものとし、金属側で蓋本体に取り付けたいとのニーズがある。しかしながら、従来のように取手をネジ止めすると、蓋本体に設けられた取付穴から蒸気が取手の内部に入り込んでしまい、金属製の部分に錆が生じる可能性が高まる。
【０００５】
本開示は、金属製の取手であっても錆が生じる可能性を減じることができる調理器具用蓋を提供することを目的とする。
【課題を解決するための手段】
【０００６】
本開示は、調理器具用蓋であって、加熱調理器具の開口部の上端外周に沿うように配置され開口部を塞ぐ蓋本体と、蓋本体に設けられている取付穴に加熱調理器具に対向する側から挿入される雄ネジ部及び雄ネジ部に繋がるネジ頭部が設けられている取付ネジと、雄ネジ部が螺合される雌ネジ部が設けられた金属製の締結部及び締結部に繋がる把持部が設けられている取手と、雄ネジ部が貫通し、ネジ頭部と蓋本体との間に配置され、圧縮変形する弾性を有する内側パッキンと、雄ネジ部が貫通し、取手と蓋本体との間に配置され、圧縮変形する弾性を有する外側パッキンと、を備えている。
【０００７】
取付穴が設けられている部分において、雄ネジ部が貫通した状態で内側パッキン及び外側パッキンを、蓋本体を挟むように配置するので、加熱調理器具で発生した蒸気が取付穴を通って取手側に向かうのを抑制できる。蒸気が取付穴を通って取手側に向かうことを抑制できるので、金属製の締結部に蒸気が浸入し難くなり、締結部における錆の発生を抑制することができる。
【０００８】
また本開示において、取付ネジは、雄ネジ部よりもネジ頭部側に非ネジ部を備えており、非ネジ部は、取付ネジが取付穴に挿入された場合に取付穴に対応する位置からネジ頭部に至る位置まで設けられ、非ネジ部の外径は雄ネジ部の外径以上となるように構成されていることも好ましい。より好ましくは、非ネジ部の外径は雄ネジ部の外径よりも大きく構成するものである。
【０００９】
この好ましい態様では、非ネジ部が、取付穴に対応する位置からネジ頭部に至る位置まで設けられているので、ネジ頭部と蓋本体との間に配置される内側パッキンは非ネジ部において取付ネジと当接するように構成することができ、密着性を確保することができる。非ネジ部の外径は雄ネジ部の外径以上であるので、取付穴の内径は非ネジ部の外径に対応したものとすることができ、取付穴と非ネジ部との間の隙間を小さなものとすることができる。この観点からは、非ネジ部の外径を雄ネジ部の外径よりも大きく構成することが好ましく、取付穴と非ネジ部との間の隙間をほとんど無いように構成しても、取付穴への取付ネジの挿入時に雄ネジ部が引っ掛かってしまうことを回避できる。従って、加熱調理器具で発生した蒸気の通過をより効果的に抑制することができる。
【００１０】
本開示においては、雄ネジ部が貫通し、ネジ頭部と内側パッキンとの間に配置されるワッシャーを備えることも好ましい。ワッシャーも非ネジ部に嵌る構成とすることで、内側パッキンとの位置ずれを抑制することができ、内側パッキンの潰れに偏りが生じにくい。
【００１１】
本開示において、締結部に凹部が設けられると共に、凹部の底面に繋がるように雌ネジ部が設けられ、外側パッキンが凹部内に収められ、蓋本体と底面との間において保持され、凹部の外周壁が蓋本体に当接することも好ましい。
【００１２】
凹部の外周壁が蓋本体に当接することで、蓋本体に対して凹部が傾いて取り付けられることが抑制される。外側パッキンは、蓋本体と凹部の底面との間において保持されているので、蓋本体と凹部とが傾かずに組付けられることとなり、潰れに偏りが生じにくい。
【発明の効果】
【００１３】
本開示によれば、金属製の取手であっても錆が生じる可能性を減じることができる調理器具用蓋を提供することができる。
【図面の簡単な説明】
【００１４】
【図１】図１は、本実施形態における調理器具用蓋が用いられる加熱調理器具の平面図である。
【図２】図２は、本実施形態における調理器具用蓋が用いられる加熱調理器具の側面図である。
【図３】図３は、調理器具用蓋を説明するための断面図である。
【発明を実施するための形態】
【００１５】
以下、添付図面を参照しながら本実施形態について説明する。説明の理解を容易にするため、各図面において同一の構成要素に対しては可能な限り同一の符号を付して、重複する説明は省略する。
【００１６】
図１は、本実施形態における調理器具用蓋が用いられる加熱調理器具２の平面図である。図２は、本実施形態における調理器具用蓋５及び加熱調理器具２の側面図である。加熱調理器具２は、フライパンと称されるものである。図１及び図２を参照しながら、加熱調理器具２について説明する。
【００１７】
加熱調理器具２は、本体部２１と取手部２２とを備えている。本体部２１には、底部２１１と底部２１１の外周から立ち上がる胴部２１２とが設けられている。本体部２１は、伝熱性材料によって形成されている。伝熱性材料として用いられる材料は特に限定されないが、本実施形態では鉄が用いられている。本体部２１の製造方法は特に限定されないが、鋳造であることが好ましい。
【００１８】
取手部２２は、本体部２１に繋がるように設けられている。取手部２２は、伝熱性材料よりも熱伝達性が低い断熱材料によって形成されている。断熱材料として用いられる材料は特に限定されないが、本実施形態では木が用いられている。
【００１９】
胴部２１２から接続部２１３が伸びている。接続部２１３は、取手部２２に繋がる部分である。接続部２１３には、継手部２１４が設けられている。継手部２１４は、接続部２１３から伸びており、取手部２２に設けられた継手凹部２２１内に入り込んでいる。本実施形態では、本体部２１の一部である接続部２１３から突出する継手部２１４が、取手部２２に設けられた継手凹部２２１に入り込むことで取手部２２の内部に入り込んでいる。
【００２０】
継手凹部２２１に継手部２１４が入り込むことで、本体部２１に対して取手部２２の回転を抑制する回転阻害機構を構成している。回転阻害機構としては、本体部２１に対して取手部２２の回転を抑制することができれば足りるので、継手凹部２２１を接続部２１３に設け、継手部２１４を取手部２２に設けてもよい。
【００２１】
調理器具用蓋５は、蓋本体５１と、取手５２とを備えている。蓋本体５１の外周は、胴部２１２の上端に沿うように形成されている。続いて、図３を参照しながら調理器具用蓋５について説明する。
【００２２】
図３に示されるように、蓋本体５１と取手５２とは、取付ネジ５３によって固定されている。取手５２は、締結部５２ａと、把持部５２ｂとを備えている。締結部５２ａは、金属製である。本実施形態では鉄が用いられている。締結部５２ａの製造方法は特に限定されないが、鋳造であることが好ましい。把持部５２ｂは、締結部５２ａと同様に金属製であって締結部５２ａと一体的に形成されていてもよく、金属よりも熱伝達性が低い断熱材料によって形成されていてもよい。
【００２３】
締結部５２ａには、取付ネジ５３を螺合するための雌ネジ部５２１ａが形成されている。雌ネジ部５２１ａは、下穴５２１にタップ加工することで形成されている。締結部５２ａには、凹部５２２が形成されている。凹部５２２は、締結部５２ａが蓋本体５１と接する面に形成されている。凹部５２２の中心部分に雌ネジ部５２１ａが繋がるように設けられている。
【００２４】
凹部５２２は、底面５２２ａと、外周壁５２２ｂとを備えている。底面５２２ａに当接するように外側パッキン５６が配置されている。外側パッキン５６の中央部分には、取付ネジ５３が貫通している。取付ネジ５３を締め付けることで締結部５２ａが蓋本体５１側に引き寄せられ、底面５２２ａと蓋本体５１との間で外側パッキン５６が圧縮される。取付ネジ５３は、外周壁５２２ｂが蓋本体５１に当接するまで締め付けられる。
【００２５】
取付ネジ５３は、雄ネジ部５３１と、非ネジ部５３２と、ネジ頭部５３３とを備えている。雄ネジ部５３１は、雌ネジ部５２１ａと螺合する部分である。非ネジ部５３２は、雄ネジ部５３１とネジ頭部５３３との間に設けられている。非ネジ部５３２の外径は、少なくとも雄ネジ部５３１の外径以上となるように構成されている。非ネジ部５３２は、蓋本体５１に形成されている取付穴５１１の内周との間に極力隙間ができないように形成されている。
【００２６】
取付ネジ５３は、蓋本体５１の内面側から取付穴５１１に挿入される。取付ネジ５３を取付穴５１１に挿入するにあたっては、取付ネジ５３がワッシャー５４と内側パッキン５５とを貫通し、ネジ頭部５３３と蓋本体５１との間にワッシャー５４及び内側パッキン５５が挟持される。
【００２７】
このように、ワッシャー５４は、雄ネジ部５３１が貫通し、ネジ頭部５３３と内側パッキン５５との間に配置される。ワッシャー５４も内側パッキン５５と共に非ネジ部５３２に嵌るように構成されるので、内側パッキン５５との位置ずれを抑制することができ、内側パッキン５５が偏って潰れることがなく、蒸気が締結部５２ａ側へ浸入することを抑制する。
【００２８】
取付ネジ５３は、雄ネジ部５３１よりもネジ頭部５３３側に非ネジ部５３２を備えている。非ネジ部５３２は、取付ネジ５３が取付穴５１１に挿入された場合に、取付穴５１１に対応する位置からネジ頭部５３３に至る位置まで設けられている。非ネジ部５３２の外径は、雄ネジ部５３１の外径以上となるように設定されている。より好ましくは、非ネジ部５３２の外径を雄ネジ部５３１の外径よりも大きく構成するものである。
【００２９】
非ネジ部５３２が、取付穴５１１に対応する位置からネジ頭部５３３に至る位置まで設けられているので、ネジ頭部５３３と蓋本体５１との間に配置される内側パッキン５５は非ネジ部５３２において取付ネジ５３と当接するように構成することができ、密着性を確保することができる。非ネジ部５３２の外径は雄ネジ部５３１の外径以上であるので、取付穴５１１の内径は非ネジ部５３２の外径に対応したものとしても取付ネジ５３の挿入には支障がなく、取付穴５１１と非ネジ部５３２との間の隙間を小さなものとすることができる。この観点からは、非ネジ部５３２の外径を雄ネジ部５３１の外径よりも大きく構成することが好ましく、取付穴５１１と非ネジ部５３２との間の隙間をほとんど無いように構成しても、取付穴５１１への取付ネジ５３の挿入時に雄ネジ部５３１が引っ掛かってしまうことを回避できる。従って、加熱調理器具２で発生した蒸気の通過をより効果的に抑制することができる。
【００３０】
また、締結部５２ａには凹部５２２が設けられ、凹部５２２に繋がるように雌ネジ部５２１ａが設けられている。外側パッキン５６は凹部５２２内に収められ、蓋本体５１と底面５２２ａとの間において保持されている。凹部５２２の外周壁５２２ｂは、蓋本体５１に当接している。
【００３１】
外周壁５２２ｂが蓋本体５１に当接することで、蓋本体５１に対する凹部５２２の傾きが抑制される。外側パッキン５６は、蓋本体５１と底面５２２ａとの間において保持されているので、蓋本体５１と凹部５２２とが傾かずに略平行な状態で組付けられることで、潰れに偏りが生じにくい。
【００３２】
本実施形態における調理器具用蓋５は、蓋本体５１と、取手５２と、取付ネジ５３と、内側パッキン５５と、外側パッキン５６と、を備えている。
【００３３】
蓋本体５１は、加熱調理器具２の開口部の上端外周に沿うように配置され開口部を塞ぐものである。取付ネジ５３は、蓋本体５１に設けられている取付穴５１１に加熱調理器具２に対向する側から挿入される雄ネジ部５３１及び雄ネジ部５３１に繋がるネジ頭部５３３が設けられているものである。取手５２は、雄ネジ部５３１が螺合される雌ネジ部５２１ａが設けられた金属製の締結部５２ａ及び締結部５２ａに繋がる把持部５２ｂが設けられているものである。内側パッキン５５は、雄ネジ部５３１が貫通し、ネジ頭部５３３と蓋本体５１との間に配置され、圧縮変形する弾性を有するものである。外側パッキン５６は、雄ネジ部５３１が貫通し、取手５２と蓋本体５１との間に配置され、圧縮変形する弾性を有するものである。
【００３４】
取付穴５１１が設けられている部分において、雄ネジ部５３１が貫通した状態で内側パッキン５５及び外側パッキン５６を、蓋本体５１を挟むように配置するので、加熱調理器具２で発生した蒸気が取付穴５１１を通って取手５２側に向かうのを抑制できる。蒸気が取付穴５１１を通って取手５２側に向かうことを抑制できるので、金属製の締結部５２ａに蒸気が浸入し難くなり、締結部５２ａにおける錆の発生を抑制することができる。
【００３５】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【符号の説明】
【００３６】
５：調理器具用蓋
５１：蓋本体
５１１：取付穴
５２：取手
５２ａ：締結部
５２ｂ：把持部
５２１ａ：雌ネジ部
５２２：凹部
５２２ａ：底面
５２２ｂ：外周壁
５３：取付ネジ
５３１：雄ネジ部
５３２：非ネジ部
５３３：ネジ頭部
５４：ワッシャー
５５：内側パッキン
５６：外側パッキン
【図１】
0006961873.tif 000002
【図２】
0006961873.tif 000003
【図３】
0006961873.tif 000004